(57)【要約】【課題】装着部品の交換作業を簡略化することができる画像形成装置を提供する。【解決手段】画像形成装置１００は、装着部４、筐体１、カバー部材３、及びロック機構を備える。装着部４は、着脱自在な装着部品Ｃが装着される。筐体１は、装着部４を収容する。カバー部材３は、筐体１に支持される。ロック機構は、取出方向への装着部品Ｃの移動を規制するロック状態と、取出方向への装着部品Ｃの移動を許容するロック解除状態との間で切り替わる。カバー部材３は、装着部４を覆う第１の姿勢と、装着部４を覆わない第２の姿勢及び第３の姿勢との間で切り替わる。カバー部材３は、第１の姿勢及び第２の姿勢において、回転自在である。カバー部材３は、第２の姿勢及び第３の姿勢において、スライド自在である。ロック機構は、カバー部材３が第１の姿勢である場合、ロック状態であり、カバー部材３が第３の姿勢である場合、ロック解除状態である。【選択図】図３
2019109296.tif 000002
【特許請求の範囲】
【請求項１】
着脱自在な装着部品が装着される装着部と、
前記装着部を収容する筐体と、
前記筐体に支持されるカバー部材と、
前記装着部品を前記筐体から取り出す取出方向への前記装着部品の移動を規制するロック状態と、前記取出方向への前記装着部品の移動を許容するロック解除状態との間で切り替わるロック機構と
を備え、
前記カバー部材は、前記装着部を覆う第１の姿勢と、前記装着部を覆わない第２の姿勢及び第３の姿勢との間で切り替わり、
前記カバー部材は、前記第１の姿勢及び前記第２の姿勢において、回転自在であり、前記第２の姿勢及び前記第３の姿勢において、スライド自在であり、
前記ロック機構は、前記カバー部材が前記第１の姿勢である場合、前記ロック状態であり、前記カバー部材が前記第３の姿勢である場合、前記ロック解除状態である、画像形成装置。
【請求項２】
前記カバー部材が前記第２の姿勢である場合、前記ロック状態である、請求項１に記載の画像形成装置。
【請求項３】
前記ロック機構は、
前記筐体に支持されるロックベース部と、
前記ロック状態になる第１の位置と、前記ロック解除状態になる第２の位置との間でスライドするフック部材と、
前記ロックベース部と、前記フック部材との間に配置されて、前記フック部材を前記第１の位置へ向けて付勢する第１付勢部材と
レバー部材と
を有し、
前記レバー部材は、前記カバー部材が前記第１の姿勢から前記第３の姿勢に切り替わると、前記フック部材を前記第１の位置から前記第２の位置までスライドさせる、請求項１又は請求項２に記載の画像形成装置。
【請求項４】
前記レバー部材は、
レバーベース部と、
前記レバーベース部から第１突出方向へ突出する第１レバー突出部と、
前記レバーベース部から前記第１突出方向とは異なる第２突出方向へ突出する第２レバー突出部と
を有し、
前記第１レバー突出部及び前記第２レバー突出部は、前記レバーベース部を中心に一体となって回転し、
前記第１レバー突出部は、前記カバー部材がスライドする際の前記カバー部材のスライド軌跡上に位置し、
前記第２レバー突出部の回転軌跡上に前記フック部材が位置する、請求項３に記載の画像形成装置。
【請求項５】
前記第１レバー突出部は、前記ロックベース部の外方へ突出し、
前記カバー部材は、前記ロックベース部の外方でスライドする、請求項４に記載の画像形成装置。
【請求項６】
前記ロック機構は、前記第２レバー突出部が前記フック部材に近接する方向へ前記第２レバー突出部を付勢する第２付勢部材を更に有する、請求項４又は請求項５に記載の画像形成装置。
【請求項７】
前記フック部材は、
前記装着部品と前記ロックベース部との間に配置されるフックベース部と、
前記フックベース部から前記装着部品に接近するフック突出部と
を有し、
前記フック突出部は、前記第１の位置において、前記装着部品と対向する対向面を有し、
前記第２の位置において、前記対向面は、前記装着部品に対向しない、請求項３〜請求項６のいずれか１項に記載の画像形成装置。
【請求項８】
前記ロック機構は、前記筐体の内部に配置されて、前記装着部品を前記取出方向へ付勢する第３付勢部材を更に有する、請求項１〜請求項７のいずれか１項に記載の画像形成装置。
【請求項９】
前記筐体の内部に配置されて、シートに画像を形成する画像形成部と、
前記画像形成部を経由するように、前記シートを搬送するシート搬送装置と
を更に備え、
前記カバー部材は、前記シート搬送装置による前記シートの搬送をガイドする、請求項１〜請求項８のいずれか１項に記載の画像形成装置。
【発明の詳細な説明】
【技術分野】
【０００１】
本発明は、画像形成装置に関する。
【背景技術】
【０００２】
特許文献１には、交換可能な装着部品を備える画像形成装置が開示されている。詳しくは、特許文献１に開示の画像形成装置は、定着ユニットを装着部品として備える。定着ユニットは、定着フレームを備える。定着フレームは、第１フレームと第２フレームとに分割されている。第１フレームは、画像形成装置の本体フレームに取り付けられる。第２フレームは、第１フレームにネジによって着脱可能に取り付けられる。
【先行技術文献】
【特許文献】
【０００３】
【特許文献１】特開平５−４４６０４５号公報
【発明の概要】
【発明が解決しようとする課題】
【０００４】
しかしながら、特許文献１に開示の画像形成装置では、定着ユニットの交換作業時に、ネジを取り外すために工具が必要であり、交換作業が容易ではない。
【０００５】
本発明は、上記課題に鑑み、装着部品の交換作業を簡略化することができる画像形成装置を提供することを目的とする。
【課題を解決するための手段】
【０００６】
本発明に係る画像形成装置は、装着部と、筐体と、カバー部材と、ロック機構とを備える。前記装着部には、着脱自在な装着部品が装着される。前記筐体は、前記装着部を収容する。前記カバー部材は、前記筐体に支持される。前記ロック機構は、前記装着部品を前記筐体から取り出す取出方向への前記装着部品の移動を規制するロック状態と、前記取出方向への前記装着部品の移動を許容するロック解除状態との間で切り替わる。前記カバー部材は、前記装着部を覆う第１の姿勢と、前記装着部を覆わない第２の姿勢及び第３の姿勢との間で切り替わる。前記カバー部材は、前記第１の姿勢及び前記第２の姿勢において、回転自在である。前記カバー部材は、前記第２の姿勢及び前記第３の姿勢において、スライド自在である。前記ロック機構は、前記カバー部材が前記第１の姿勢である場合、前記ロック状態であり、前記カバー部材が前記第３の姿勢である場合、前記ロック解除状態である。
【発明の効果】
【０００７】
本発明によれば、装着部品の交換作業を簡略化することができる。
【図面の簡単な説明】
【０００８】
【図１】本発明の実施形態に係る画像形成装置の外観を示す斜視図である。
【図２】本発明の実施形態に係る画像形成装置の後ろ側の外観を示す第１の斜視図である。
【図３】本発明の実施形態に係る画像形成装置の後ろ側の外観を示す第２の斜視図である。
【図４】本発明の実施形態に係る画像形成装置の後ろ側の外観を示す第３の斜視図である。
【図５】本発明の実施形態に係る画像形成装置の構成を示す図である。
【図６】本発明の実施形態に係るロック機構及びその近傍の構成を示す図である。
【図７】本発明の実施形態に係るフック部材の構成を示す斜視図である。
【図８】本発明の実施形態に係るロック機構の構成を示す図である。
【図９】本発明の実施形態に係るレバー部材の構成を示す斜視図である。
【図１０】（ａ）〜（ｃ）は、本発明の実施形態に係るカバー部材とロック機構とを示す図である。
【図１１】（ａ）〜（ｃ）は、本発明の実施形態に係るカバー部材とロック機構とを示す図である。
【図１２】（ａ）〜（ｃ）は、本発明の実施形態に係るカバー部材とロック機構とを示す図である。
【図１３】本発明の実施形態に係るカバー部材の構成とロック機構の構成との関係を示す図である。
【図１４】本発明の実施形態に係るロック機構の他例を示す図である。
【図１５】（ａ）〜（ｃ）は、本発明の実施形態に係るロック機構の更なる他例を示す図である。
【発明を実施するための形態】
【０００９】
以下、図面を参照して、本発明に係る画像形成装置の実施形態について説明する。なお、図中、同一又は相当部分については同一の参照符号を付して説明を繰り返さない。
【００１０】
まず、図１を参照して、本実施形態に係る画像形成装置１００の構成について説明する。図１は、本実施形態に係る画像形成装置１００の外観を示す斜視図である。本実施形態において、画像形成装置１００は、プリンターである。
【００１１】
図１に示すように、画像形成装置１００は、筐体１、及び操作パネル２を備える。以下では、画像形成装置１００の操作パネル２が配置される側を画像形成装置１００の前側とし、その反対側を画像形成装置１００の後ろ側として本実施形態を説明する。また、画像形成装置１００を前側から見たときの右側を画像形成装置１００の右側とし、その反対側を画像形成装置１００の左側として本実施形態を説明する。また、画像形成装置１００の前後方向及び左右方向と直交する方向において、操作パネル２が配置される側を画像形成装置１００の上側とし、その反対側を画像形成装置１００の下側として本実施形態を説明する。
【００１２】
操作パネル２は、液晶ディスプレー及び複数の操作キーを有する。操作パネル２は、ユーザーからの画像形成装置１００に対する指示を受け付ける。
【００１３】
次に、図２〜図４を参照して、本実施形態に係る画像形成装置１００の後ろ側の構成について説明する。図２は、本実施形態に係る画像形成装置１００の後ろ側の外観を示す第１の斜視図である。図３は、本実施形態に係る画像形成装置１００の後ろ側の外観を示す第２の斜視図である。図４は、本実施形態に係る画像形成装置１００の後ろ側の外観を示す第３の斜視図である。
【００１４】
図２に示すように、画像形成装置１００は、カバー部材３を更に備える。カバー部材３は、筐体１に支持される。
【００１５】
図２及び図３に示すように、カバー部材３は、姿勢が切り替わる。詳しくは、カバー部材３は、軸心Ｘを中心として第１回転方向Ｒ１及び第２回転方向Ｒ２に回転自在である。カバー部材３は、軸心Ｘを中心として第１回転方向Ｒ１又は第２回転方向Ｒ２に回転することにより、姿勢が切り替わる。以下、図２に示すカバー部材３の姿勢を「第１の姿勢」と記載し、図３に示すカバー部材３の姿勢を「第２の姿勢」と記載する。
【００１６】
図３に示すように、筐体１は、背面壁１ｂ及び２つの内壁１ｎを有する。背面壁１ｂには、開口１ｈが形成される。開口１ｈは、カバー部材３が第１の姿勢から第２の姿勢に切り替わると、開放される。
【００１７】
２つの内壁１ｎは、画像形成装置１００の左右方向において対向する。２つの内壁１ｎの各々には、支持溝１ｓが形成される。支持溝１ｓは、画像形成装置１００の前後方向に沿って形成される。
【００１８】
画像形成装置１００は、装着部４を更に備える。装着部４は、筐体１の内部に配置される。詳しくは、装着部４は、支持溝１ｓの上方に設けられる。
【００１９】
装着部４は、カバー部材３が第２の姿勢になると、開口１ｈを介して露出する。一方、装着部４は、カバー部材３が第１の姿勢になるとカバー部材３によって覆われる（図２参照）。
【００２０】
装着部４には、着脱自在な装着部品Ｃが装着される。なお、本実施形態において、装着部品Ｃは、定着装置である。
【００２１】
装着部品Ｃは、開口１ｈを介して、装着部４から取り外される。あるいは、装着部品Ｃは、開口１ｈを介して、装着部４に取り付けられる。以下、装着部４から取り外される際に装着部品Ｃが移動する方向を「取出方向Ｄ１」と記載し、装着部４に取り付けられる際に装着部品Ｃが移動する方向を「取付方向Ｄ２」と記載する場合がある。本実施形態において、取出方向Ｄ１は、画像形成装置１００の前方から後方へ向かう方向である。取付方向Ｄ２は、画像形成装置１００の後方から前方へ向かう方向である。
【００２２】
図３及び図４に示すように、カバー部材３は、第２の姿勢において、第１スライド方向Ｓ１又は第２スライド方向Ｓ２に沿って、スライド自在である。詳しくは、カバー部材３は、被支持部を有する。被支持部は、カバー部材３の左右方向の端部にそれぞれ設けられる。被支持部は、支持溝１ｓに嵌合し、支持溝１ｓに沿って移動する。被支持部が支持溝１ｓに沿って移動することにより、カバー部材３が、第１スライド方向Ｓ１又は第２スライド方向Ｓ２に沿ってスライドする。第１スライド方向Ｓ１は、画像形成装置１００の前方から後方へ向かう方向である。第２スライド方向Ｓ２は、画像形成装置１００の後方から前方へ向かう方向である。なお、本実施形態において、第１スライド方向Ｓ１は、取出方向Ｄ１と一致し、第２スライド方向Ｓ２は、取付方向Ｄ２と一致する。
【００２３】
続いて、図５を参照して、本実施形態に係る画像形成装置１００の構成について更に説明する。図５は、本実施形態に係る画像形成装置１００の構成を示す図である。
【００２４】
図５に示すように、本実施形態に係る画像形成装置１００は、一般的なプリンターが備える構成、例えば、給紙装置２０、シート搬送装置３０、画像形成部４０、及び排出トレイ１ｔを更に備える。給紙装置２０は、複数のシートＳを収容し、一枚ずつ給紙する。シート搬送装置３０は、給紙装置２０によって給紙されたシートＳを、画像形成部４０を経由して排出トレイ１ｔまで搬送する。シート搬送装置３０は、複数のガイド部材及び複数のローラーを有する。複数のガイド部材の各々は、シートＳの搬送をガイドする。カバー部材３は、複数のガイド部材の一部を構成する。詳しくは、カバー部材３は、内壁部３ｎを有する。内壁部３ｎは、複数のリブを有し、複数のガイド部材の一部を構成する。
【００２５】
画像形成部４０は、シートＳに画像を形成する。本実施形態において、画像形成部４０は、露光装置、帯電装置、感光体ドラム、現像装置、クリーニング装置、転写装置、及び定着装置（装着部品Ｃ）を有し、電子写真方式によって、シートＳに画像を形成する。画像が形成されたシートＳは、排出トレイ１ｔに排出される。排出トレイ１ｔは、筐体１の上面に形成される。
【００２６】
また、画像形成装置１００は、ロック機構５を更に備える。ロック機構５は、ロック状態とロック解除状態との間で切り替わる。ロック機構５は、ロック状態において、装着部品Ｃの取出方向Ｄ１への移動を規制する。一方、ロック機構５は、ロック解除状態において装着部品Ｃの取出方向Ｄ１への移動を許容する。
【００２７】
次に、図６〜図９を参照して、本実施形態に係るロック機構５の構成について説明する。図６は、本実施形態に係るロック機構５及びその近傍の構成を示す図である。詳しくは、図６は、画像形成装置１００の後ろ側から見たロック機構５及びその近傍を示す図である。なお、図６に示すロック機構５は、ロック状態である。
【００２８】
図６に示すように、ロック機構５は、ロックベース部５０、フック部材５１、フックバネ５２、及びレバー部材５３を有する。フックバネ５２は、第１付勢部材の一例である。
【００２９】
ロックベース部５０は、図４を参照して説明した筐体１の内部に固定される。詳しくは、ロックベース部５０は、装着部４と、支持溝１ｓとの間に配置される。
【００３０】
フック部材５１は、フックバネ５２の上方に配置される。フック部材５１は、第３スライド方向Ｓ３及び第４スライド方向Ｓ４に沿ってスライド自在である。第３スライド方向Ｓ３は、画像形成装置１００の上方から下方へ向かう方向である。第４スライド方向Ｓ４は、画像形成装置１００の下方から上方へ向かう方向である。
【００３１】
フック部材５１は、フックベース部５１０を有する。フックベース部５１０は、フックバネ５２と装着部品Ｃとの間に配置される。フックベース部５１０は、底面５１０ｂを有する。フックベース部５１０の底面５１０ｂは、フックバネ５２の上端部と接続する。
【００３２】
フックバネ５２は、フック部材５１（フックベース５１０）とロックベース部５０との間に配置される。フックバネ５２の下端部は、ロックベース部５０に固定される。フックバネ５２は、フック部材５１を装着部品Ｃ（上方）へ向けて付勢する。
【００３３】
図７は、本実施形態に係るフック部材５１の構成を示す斜視図である。詳しくは、図７は、画像形成装置１００の前方右斜め上方から見たフック部材５１を示す。
【００３４】
図７に示すように、フック部材５１は、フック突出部５１１を更に有する。フックベース部５１０及びフック突出部５１１は、略直方体の形状を有する。フックベース部５１０は、フック接触面５１０ｓを有する。フック突出部５１１は、フック接触面５１０ｓから上方に向けて突出する。フック突出部５１１は、対向面５１１ｓを有する。
【００３５】
図８は、本実施形態に係るロック機構５の構成を示す図である。詳しくは、図８は、画像形成装置１００の左側から見たロック機構５及びカバー部材３を示す。図８に示すロック機構５は、ロック状態である。なお、図８では、理解を容易にするために、ロックベース部５０の左側の側壁は省略している。
【００３６】
図８に示すように、フック突出部５１１の対向面５１１ｓは、装着部品Ｃと対向する。以下、対向面５１１ｓが装着部品Ｃと対向する姿勢におけるフック突出部５１１の上面５１１ｔの位置を「第１の位置Ｐ１」と記載する。以下では、「フック突出部５１１の上面５１１ｔの位置」を「フック部材５１の位置」と記載する。
【００３７】
レバー部材５３は、レバーベース部５３０と第１レバー突出部５３１と第２レバー突出部５３２とを有する。
【００３８】
レバーベース部５３０は、ロックベース部５０に支持される。レバーベース部５３０は、側面視略円形形状を有し、第３回転方向Ｒ３及び第４回転方向Ｒ４に沿って回転自在である。第１レバー突出部５３１及び第２レバー突出部５３２は、レバーベース部５３０と接続する。したがって、第１レバー突出部５３１及び第２レバー突出部５３２は、レバーベース部５３０を中心に、一体となって第３回転方向Ｒ３又は第４回転方向Ｒ４に沿って回転する。
【００３９】
第１レバー突出部５３１は、レバーベース部５３０を基端として、第１突出方向Ｔ１（レバーベース部５３０の径方向の内側から外側に向かう方向）に向けて突出する。詳しくは、第１レバー突出部５３１は、ロックベース部５０の下面５０ｕよりも下方へ突出する。より詳しくは、第１レバー突出部５３１は、カバー部材３が第２の姿勢から第２スライド方向Ｓ２に沿ってスライドした際に、カバー部材３の先端部３ａと接触する位置まで突出する。換言すると、第１レバー突出部５３１は、カバー部材３がスライドした際に描くスライド軌跡上に位置する。
【００４０】
第１レバー突出部５３１は、第１レバー接触面５３１ｓを有する。第１レバー接触面５３１ｓは、第１レバー突出部５３１の先端部に設けられる。カバー部材３が第２の姿勢から第２スライド方向Ｓ２へスライドすると、カバー部材３の先端部３ａが第１レバー接触面５３１ｓに接触する。カバー部材３は、カバー部材３の先端部３ａが第１レバー接触面５３１ｓに接触した後、第２スライド方向Ｓ２へ更にスライドすることにより、第１レバー突出部５３１を画像形成装置１００の前方へ向けて押圧する。この結果、第１レバー突出部５３１がレバーベース部５３０を中心として第３回転方向Ｒ３に沿って回転する。
【００４１】
第２レバー突出部５３２は、レバーベース部５３０を基端として、第２突出方向Ｔ２（レバーベース部５３０の径方向の内側から外側に向かう方向のうち、第１突出方向Ｔ１とは異なる方向）に向けて突出する。詳しくは、第２レバー突出部５３２は、フックベース部５１０に接近する方向に向けて突出する。フックベース部５１０（フック接触面５１０ｓ）は、第２レバー突出部５３２の回転軌跡上に位置する。
【００４２】
第２レバー突出部５３２は、第２レバー接触面５３２ｓを有する。第２レバー接触面５３２ｓは、第２レバー突出部５３２の先端部に設けられる。第２レバー接触面５３２ｓは、フックベース部５１０のフック接触面５１０ｓと対向する。
【００４３】
第２レバー突出部５３２は、第１レバー突出部５３１がレバーベース部５３０を中心として第３回転方向Ｒ３へ回転すると、第１レバー突出部５３１と一体となって、レバーベース部５３０を中心に第３回転方向Ｒ３へ回転する。第２レバー突出部５３２は、第３回転方向Ｒ３へ回転すると、第２レバー接触面５３２ｓがフックベース部５１０のフック接触面５１０ｓに接触する。第２レバー突出部５３２は、第２レバー接触面５３２ｓがフックベース部５１０のフック接触面５１０ｓに接触した後、第３回転方向Ｒ３へ更に回転することにより、フックベース部５１０（フック接触面５１０ｓ）を下方に向けて押圧する。これにより、フック部材５１は、フックバネ５２の付勢力に抗して、第３スライド方向Ｓ３に沿って第１の位置Ｐ１から第２の位置Ｐ２までスライドする。第２の位置Ｐ２は、フック部材５１の対向面５１１ｓが装着部品Ｃと対向しない位置を示す。以下、フック部材５１の位置が第２の位置Ｐ２である場合におけるカバー部材３の姿勢を「第３の姿勢」と記載する。
【００４４】
一方、第１レバー突出部５３１（第１レバー接触面５３１ｓ）は、カバー部材３が第１スライド方向Ｓ１へスライドすることにより、画像形成装置１００の前方へ向かう押圧力から解放される。第１レバー突出部５３１が画像形成装置１００の前方へ向かう押圧力から解放されると、第２レバー突出部５３２は、フックベース部５１０に対する下方への押圧力を解放する。この結果、フックベース５１０は、フックバネ５２の付勢力によって、第２の位置Ｐ２から第１の位置Ｐ１へ向けてスライドする。これにより、第２レバー突出部５３２がフックベース５１０によって上方に向けて押圧される。この結果、第２レバー突出部５３２及び第１レバー突出部５３１が、レバーベース部５３０を中心として第４回転方向Ｒ４へ回転する。
【００４５】
図９は、本実施形態に係るレバー部材５３の構成を示す斜視図である。
【００４６】
図９に示すように、レバーベース部５３０は、略円柱形状を有する。第１レバー突出部５３１は、レバーベース部５３０の周面を基端として第１突出方向Ｔ１へ向けて突出する。第２レバー突出部５３２は、レバーベース部５３０の周面を基端として第２突出方向Ｔ２へ向けて突出する。
【００４７】
続いて、図１０（ａ）〜図１３を参照して、本実施形態に係るカバー部材３及びロック機構５の構成について説明する。
【００４８】
まず、図１０（ａ）〜図１０（ｃ）を参照して、カバー部材３が第１の姿勢である場合におけるロック機構５の状態について説明する。図１０（ａ）〜図１０（ｃ）は、本実施形態に係るカバー部材３とロック機構５とを示す図である。詳しくは、図１０（ａ）は、画像形成装置１００の左側から見たロック機構５及びカバー部材３を示す図である。図１０（ｂ）は、図１０（ａ）に示すロック機構５及びその近傍を示す図である。図１０（ｃ）は、画像形成装置１００の後ろ側から見たロック機構５及びその近傍を示す図である。図１０（ａ）〜図１０（ｃ）において、カバー部材３の姿勢は、第１の姿勢である。なお、図１０（ａ）、図１０（ｂ）では、理解を容易にするために、ロックベース部５０の左側の側壁は省略している。
【００４９】
図１０（ａ）に示すように、カバー部材３が第１の姿勢である場合において、ロック機構５は、ロック状態である。詳しくは、図１０（ｂ）及び図１０（ｃ）に示すように、フック部材５１は、第１の位置Ｐ１に位置し、フック突出部５１１の対向面５１１ｓが装着部品Ｃと対向する。したがって、装着部品Ｃは、フック突出部５１１によって取出方向Ｄ１への移動が規制される。
【００５０】
次に、図１０（ａ）、及び図１１（ａ）〜図１１（ｃ）を参照して、カバー部材３が第２の姿勢である場合におけるロック機構５の状態について説明する。図１１（ａ）〜図１１（ｃ）は、本実施形態に係るカバー部材３とロック機構５とを示す図である。詳しくは、図１１（ａ）は、画像形成装置１００の左側から見たロック機構５及びカバー部材３を示す図である。図１１（ｂ）は、図１１（ａ）に示すロック機構５及びその近傍を示す図である。図１１（ｃ）は、画像形成装置１００の後ろ側から見たロック機構５及びその近傍を示す図である。図１１（ａ）〜図１１（ｃ）において、カバー部材３は、第２の姿勢である。なお、図１１（ａ）、図１１（ｂ）では、理解を容易にするために、ロックベース部５０の左側の側壁は省略している。
【００５１】
図１０（ａ）及び図１１（ａ）に示すように、カバー部材３が第１回転方向Ｒ１方向に回転すると、カバー部材３は、第１の姿勢から第２の姿勢へ切り替わる。図１１（ｂ）及び図１１（ｃ）に示すように、カバー部材３が第２の姿勢である場合において、ロック機構５はロック状態である。詳しくは、図１０（ｂ）及び図１０（ｃ）と同様に、フック部材５１は、第１の位置Ｐ１に位置し、フック突出部５１１の対向面５１１ｓが装着部品Ｃと対向する。したがって、装着部品Ｃは、フック突出部５１１によって取出方向Ｄ１への移動が規制される。
【００５２】
続いて、図１１（ａ）、図１１（ｂ）、及び図１２（ａ）〜図１２（ｃ）を参照して、カバー部材３が第３の姿勢である場合におけるロック機構５の状態について説明する。図１２（ａ）〜図１２（ｃ）は、本実施形態に係るカバー部材３とロック機構５とを示す図である。詳しくは、図１２（ａ）は、画像形成装置１００の左側から見たロック機構５及びカバー部材３を示す図である。図１２（ｂ）は、図１２（ａ）に示すロック機構５及びその近傍を示す図である。図１２（ｃ）は、画像形成装置１００の後ろ側から見たロック機構５及びその近傍を示す図である。図１２（ａ）〜図１２（ｃ）において、カバー部材３は、第３の姿勢である。なお、図１２（ａ）、図１２（ｂ）では、理解を容易にするために、ロックベース部５０の左側の側壁は省略している。
【００５３】
図１１（ａ）及び図１２（ａ）に示すように、カバー部材３が、支持溝１ｓ（図３参照）に沿って第２スライド方向Ｓ２へスライドすると、カバー部材３は、第２の姿勢から第３の姿勢へ切り替わる。図１２（ｂ）及び図１２（ｃ）に示すように、カバー部材３が第３の姿勢である場合において、ロック機構５は、ロック解除状態である。詳しくは、図１１（ｂ）及び図１２（ｂ）に示すように、カバー部材３の先端３ａが第１レバー突出部５３１（第１レバー接触面５３１ｓ）に接触し、第２スライド方向Ｓ２へ更にスライドすると、第２レバー突出部５３２と第１レバー突出部５３１とが一体となって第３回転方向Ｒ３に沿って回転する。これにより、フック部材５１が第１の位置Ｐ１から第２の位置Ｐ２までスライドする。したがって、フック突出部５１１の対向面５１１ｓが装着部品Ｃと対向しなくなり、フック突出部５１１による装着部品Ｃの取出方向Ｄ１への移動の規制が解除される。
【００５４】
なお、ロック機構５は、フック部材５１が第２の位置Ｐ２から第１の位置Ｐ１へ移動すると、ロック解除状態からロック状態に切り替わる。本実施形態において、ロック機構５は、カバー部材３が第３の姿勢から第２の姿勢を介して第１の姿勢へ切り替わることによって、ロック解除状態からロック状態へ切り替わる。詳しくは、カバー部材３が第３の姿勢から第２の姿勢に切り替わると、フック部材５１が第２の位置Ｐ２から第１の位置Ｐ１へ移動する。この結果、ロック機構５は、ロック解除状態からロック状態に切り替わる。
【００５５】
図１３は、本実施形態に係るカバー部材３の構成とロック機構５の構成との関係を示す図である。
【００５６】
図１３に示すように、カバー部材３は、第１の姿勢である場合において、装着部４を覆い、第２の姿勢及び第３の姿勢である場合において、装着部４を覆わない。また、カバー部材３は、第１の姿勢である場合において、回転自在である。カバー部材３は、第２の姿勢である場合において、回転自在及びスライド自在である。カバー部材３は、第３の姿勢である場合において、スライド自在である。ロック機構５は、カバー部材３が第１の姿勢及び第２の姿勢である場合、ロック状態であり、カバー部材３が第３の姿勢である場合、ロック解除状態である。
【００５７】
以上、本実施形態について説明した。本実施形態によれば、作業者は、カバー部材３の姿勢を切り替えるだけで、ロック機構５をロック状態及びロック解除状態のいずれかに切り替えることができる。詳しくは、作業者は、第２の姿勢のカバー部材３を筐体１の内部に向けて押し込む（第２スライド方向Ｓ２にスライドさせる）ことにより、ロック機構５をロック状態からロック解除状態に切り替えることができる。すなわち、作業者は、工具を用いることなく、装着部品Ｃの交換作業を行うことができる。この結果、装着部品Ｃの交換作業を簡略化することができる。
【００５８】
また、本実施形態によれば、ネジのような締結部材を使用することなく、装着部品Ｃを装着部４に装着することができる。これにより、例えば、装着部品Ｃの交換作業時における締結部材の紛失の発生を防止することができる。
【００５９】
また、本実施形態によれば、作業者は、カバー部材３を第１の姿勢から第２の姿勢を介して第３の姿勢に切り替えることにより、ロック機構５をロック状態からロック解除状態に切り替えることができる。本実施形態において、第１の姿勢のカバー部材３は、筐体１の開口１ｈを覆い、第２の姿勢及び第３の姿勢のカバー部材３は、筐体１の開口１ｈを開放する。また、ロック機構５は、カバー部材３が第２の姿勢である場合、ロック状態であり、カバー部材３が第３の姿勢である場合、ロック解除状態である。したがって、作業者は、筐体１の開口１ｈの開放を保持したまま、ロック機構５をロック状態及びロック解除状態のいずれかに切り替えることができる。よって、作業者の利便性が向上する。
【００６０】
また、本実施形態によれば、ロック機構５は、カバー部材３が第３の姿勢である場合において、ロック解除状態となる。第３の姿勢において、カバー部材３は、図４に示すように、その一部が筐体１に収容される。したがって、カバー部材３が装着部品Ｃの交換作業の妨げになることが抑制される。
【００６１】
なお、図１４に示すように、ロック機構５は、レバーバネ５４を更に備えてもよい。レバーバネ５４は、第２付勢部材の一例である。図１４は、本実施形態に係るロック機構５の他例を示す図である。詳しくは、図１４は、画像形成装置１００の左側から見たロック機構５を示す。なお、図１４では、理解を容易にするために、ロックベース部５０の左側の側壁は省略している。
【００６２】
レバーバネ５４は、例えば、コイルバネである。レバーバネ５４は、第２レバー突出部５３２がフック部材５１に近接する方向（第３回転方向Ｒ３）に向けて第２レバー突出部５３２を付勢する。これにより、第２レバー突出部５３２の姿勢をより安定させることができる。
【００６３】
また、ロック機構５は、図１５（ａ）〜図１５（ｃ）に示すように、装着部品付勢バネ５５を更に備えてもよい。装着部品付勢バネ５５は、第３付勢部材の一例である。図１５（ａ）〜図１５（ｃ）は、本実施形態に係るロック機構５の更なる他例を示す図である。図１５（ａ）において、カバー部材３は、第１の姿勢であり、図１５（ｂ）において、カバー部材３は、第２の姿勢であり、図１５（ｃ）において、カバー部材３は、第３の姿勢である。なお、図１５（ａ）〜図１５（ｃ）では、理解を容易にするために、ロックベース部５０の左側の側壁は省略している。
【００６４】
装着部品付勢バネ５５は、装着部品Ｃを取出方向Ｄ１へ付勢する。これにより、装着部品Ｃは、ロック機構５がロック解除状態になると、装着部品付勢バネ５５の付勢力によって、筐体１の外部へ向けて取出方向Ｄ１へ移動する。したがって、装着部品Ｃの交換作業がより簡略化される。
【００６５】
また、本実施形態において、カバー部材３が第２の姿勢である場合に、ロック機構５がロック状態である場合を例に説明したが、ロック機構５は、カバー部材３が第２の姿勢である場合に、ロック解除状態であり得る。例えば、ロック機構５は、フック突出部５１１の上面５１１ｔ（図８参照）に装着部品Ｃが載置されている場合、フック部材５１が第２の位置Ｐ２に位置するため、ロック解除状態である。
【００６６】
また、本実施形態において、カバー部材３は、突起部を更に備えてもよい。突起部は、ロック機構５がロック解除状態である場合に、カバー部材３が第１の姿勢になることを規制する。カバー部材３の突起部は、例えば、フック部材５１に接触することにより、カバー部材３が第１の姿勢になることを規制する。
【００６７】
また、本実施形態において、装着部品Ｃが定着装置である場合を例に説明したが、装着部品Ｃは、例えば、感光体ドラムのような画像形成部４０を構成する部材であってもよい。
【００６８】
以上、本発明の実施形態について、図面（図１〜図１５）を参照しながら説明した。但し、本発明は、上記の実施形態に限られるものではなく、その要旨を逸脱しない範囲で種々の態様において実施することが可能である。また、上記の実施形態で示す構成や形状は、一例であって特に限定されるものではなく、本発明の効果から実質的に逸脱しない範囲で種々の変更が可能である。
【００６９】
例えば、本発明の実施形態において、画像形成装置１００がプリンターである場合を例に説明したが、画像形成装置１００は、例えば、コピー機又は複合機であってもよい。
【００７０】
また、本発明の実施形態では、電子写真方式の画像形成装置１００に本発明が適用される場合を例に説明したが、本発明は、例えば、インクジェット方式の画像形成装置にも適用可能である。
【産業上の利用可能性】
【００７１】
本発明は、部品の交換を要する画像形成装置の分野に有用である。
【符号の説明】
【００７２】
１            筐体
３            カバー部材
４            装着部
５            ロック機構
１００        画像形成装置
【図１】
2019109296.tif 000003
【図２】
2019109296.tif 000004
【図３】
2019109296.tif 000005
【図４】
2019109296.tif 000006
【図５】
2019109296.tif 000007
【図６】
2019109296.tif 000008
【図７】
2019109296.tif 000009
【図８】
2019109296.tif 000010
【図９】
2019109296.tif 000011
【図１０】
2019109296.tif 000012
【図１１】
2019109296.tif 000013
【図１２】
2019109296.tif 000014
【図１３】
2019109296.tif 000015
【図１４】
2019109296.tif 000016
【図１５】
2019109296.tif 000017